(57)【要約】【課題】通信機能を内蔵したコネクタを信号ケーブルに複数接続して通信を行う構成の場合に、各コネクタのアドレス設定を容易且つ確実に行うことを可能としたコネクタ、コネクタ付き信号ケーブル及び機器接続構造を提供する。【解決手段】コネクタ３にスイッチＡ〜Ｃを設けて通信制御ＩＣ３１に接続する。電装品４には、コネクタ３に接続した際にスイッチＡ〜Ｃを操作する突部４２ａ、４２ｂを有するスイッチ操作部４２を設ける。コネクタ３の通信制御ＩＣ３１は、スイッチＡ〜Ｃの接続／遮断の組み合わせに応じて通信処理に用いるＩＤ番号を決定する。電装品４のスイッチ操作部４２に設ける突部の数及び配置等を適切に設定することによって、信号ケーブル２に設けられた複数のコネクタ３のＩＤ番号設定が適切に行われ、各コネクタ３の通信制御ＩＣ３１が設定されたＩＤ番号を用いて通信処理を行うことができる。【選択図】図２
2011014366.tif 000002
【特許請求の範囲】
【請求項１】
信号ケーブルに接続固定されると共に、電気機器を接続するための接続端子が設けられたコネクタにおいて、
前記接続端子に接続された電気機器と前記信号ケーブルに接続された他の機器との間の通信処理を行う通信部と、
前記接続端子に接続された電気機器の一部分の形状に応じて、前記通信部が通信を行う際の識別情報を決定する識別情報決定手段と
を備えること
を特徴とするコネクタ。
【請求項２】
複数のスイッチを備え、
前記識別情報決定手段は、前記電気機器の一部分にて接続／遮断されるスイッチの組み合わせに応じて識別情報を決定するようにしてあること
を特徴とする請求項１に記載のコネクタ。
【請求項３】
予め設定された識別情報を記憶する記憶手段と、
該記憶手段に記憶された識別情報及び前記識別情報決定手段が決定した識別情報が一致するか否かを判定する判定手段と、
該判定手段により識別情報が一致しないと判定された場合に通知を行う誤接続通知手段と
を更に備えること
を特徴とする請求項１又は請求項２に記載のコネクタ。
【請求項４】
請求項１乃至請求項３のいずれか１つに記載のコネクタが複数接続固定してあること
を特徴とするコネクタ付き信号ケーブル。
【請求項５】
接続端子を有するコネクタが複数接続固定されたコネクタ付き信号ケーブルを備え、前記コネクタの各接続端子に電気機器をそれぞれ接続する機器接続構造において、
前記コネクタは、
前記接続端子に接続された電気機器と前記信号ケーブルに接続された他の機器との間の通信処理を行う通信部と、
前記接続端子に接続された電気機器の一部分の形状に応じて、前記通信部が通信を行う際の識別情報を決定する識別情報決定手段と
を有すること
を特徴とする機器接続構造。
【請求項６】
前記コネクタは、複数のスイッチを有し、
前記電気機器は、前記スイッチの接続／遮断を切り替える一又は複数の突部を有し、
前記コネクタの識別情報決定手段は、前記電気機器の突部にて接続／遮断されるスイッチの組み合わせに応じて識別情報を決定するようにしてあること
を特徴とする請求項５に記載の機器接続構造。
【請求項７】
前記コネクタは、
予め設定された識別情報を記憶する記憶手段と、
該記憶手段に記憶された識別情報及び前記識別情報決定手段が決定した識別情報が一致するか否かを判定する判定手段と、
該判定手段により識別情報が一致しないと判定された場合に通知を行う誤接続通知手段と
を更に有し、
該誤接続通知手段は、前記通信部により前記信号ケーブルに接続された検査機器へ通知を行うようにしてあること
を特徴とする請求項５又は請求項６に記載の機器接続構造。
【発明の詳細な説明】
【技術分野】
【０００１】
本発明は、信号ケーブルに電気機器を接続するためのコネクタ、このコネクタが接続されたコネクタ付き信号ケーブル、及びこのコネクタを用いて電気機器を信号ケーブルに接続する機器接続構造に関する。
【背景技術】
【０００２】
車輌にはモータ又はアクチュエータ等の電装品（電気機器）が多数搭載されており、電装品とＥＣＵ（Electronic Control Unit）などの制御機器との間では信号ケーブルを介して制御信号の送受信が行われている。複数の電装品及び制御機器はワイヤーハーネスなどの１つの信号ケーブルにそれぞれ接続され、この信号ケーブルを共有して通信を行っている。
【０００３】
車輌の製造工程において、信号ケーブルと電装品との接続作業を容易化するため、信号ケーブルには電装品を接続するための複数のコネクタが予め設けられる。コネクタは、信号ケーブルに圧接又は溶接等の手段により接続固定されると共に、電装品を接続するための接続端子が設けられる。また電装品には、コネクタとの接続を行うための接続端子が設けられる。これにより、車輌の製造工程では電装品の接続端子を信号ケーブルのコネクタに接続するのみでよい。
【０００４】
また近年では、信号ケーブルの各コネクタに通信処理を行うための通信ＩＣ（Integrated Circuit）を内蔵したものが実用化されている。コネクタに搭載された通信ＩＣは、制御機器との間で通信を行い、制御機器から受信したデータに基づいて電装品への制御信号を出力すると共に、電装品の出力信号をデータとして制御機器へ送信する。通信ＩＣを内蔵したコネクタを用いることによって、コネクタに接続する電装品には通信機能を搭載する必要がないため、電装品の低価格化及び汎用化等を実現できる。
【０００５】
特許文献１においては、機器側コネクタの雄端子を挿抜する際に通信制御ＩＣのリードに負担がかからず、通信制御ＩＣの組み込みをコネクタ組立工程の終期の段階で行うことができる通信制御ＩＣ内蔵コネクタが提案されている。この通信制御ＩＣ内蔵コネクタは、通信制御ＩＣの機器側リードと機器側コネクタの雄端子との接続を、両者の挿入部が互い違いに設けられた双方向雌接続端子で行う。また、バス配線回路の複数本の電線を、通信制御ＩＣのバス配線側の複数本のリードと交差する方向に配列し、接続すべきリード及び電線を両者の交差部で交差接続子を介して接続する。交差接続子は、一端側にバス配線側リードを圧接接続する圧接端子を有し、他端側に電線を圧接接続する圧接端子を有している。
【０００６】
また特許文献１に記載の通信制御ＩＣ内蔵コネクタでは、通信制御ＩＣの複数のリードとこれに交差する電線との交差接続子を用いた接続パターンによって、電線に複数接続される通信制御ＩＣ内蔵コネクタのアドレスを決定している。これにより、同じ通信制御ＩＣを大量に制作し、区別なく組み立てて、交差接続子による接続パターンを変化させるのみでアドレスを付与することができるため、通信制御ＩＣのコストダウンを図ることができるという利点がある。
【先行技術文献】
【特許文献】
【０００７】
【特許文献１】特開２００６−２８６５９６号公報
【発明の概要】
【発明が解決しようとする課題】
【０００８】
しかしながら、特許文献１に記載の通信制御ＩＣ内蔵コネクタは、アドレスを決定するために交差接続子の接続パターンを適切に設定しなければならない。このため、交差接続子による通信制御ＩＣのリードと電線との接続を行う製造工程において、作業時間の増大を招来すると共に、誤接続によりアドレス設定が適切に行われず、不良が発生する虞がある。
【０００９】
本発明は、斯かる事情に鑑みてなされたものであって、その目的とするところは、通信機能を内蔵したコネクタを信号ケーブルに複数接続して通信を行う構成の場合に、各コネクタのアドレス設定を容易且つ確実に行うことを可能としたコネクタ、コネクタ付き信号ケーブル及び機器接続構造を提供することにある。
【課題を解決するための手段】
【００１０】
本発明に係るコネクタは、信号ケーブルに接続固定されると共に、電気機器を接続するための接続端子が設けられたコネクタにおいて、前記接続端子に接続された電気機器と前記信号ケーブルに接続された他の機器との間の通信処理を行う通信部と、前記接続端子に接続された電気機器の一部分の形状に応じて、前記通信部が通信を行う際の識別情報を決定する識別情報決定手段とを備えることを特徴とする。
【００１１】
また、本発明に係るコネクタは、複数のスイッチを備え、前記識別情報決定手段は、前記電気機器の一部分にて接続／遮断されるスイッチの組み合わせに応じて識別情報を決定するようにしてあることを特徴とする。
【００１２】
また、本発明に係るコネクタは、予め設定された識別情報を記憶する記憶手段と、該記憶手段に記憶された識別情報及び前記識別情報決定手段が決定した識別情報が一致するか否かを判定する判定手段と、該判定手段により識別情報が一致しないと判定された場合に通知を行う誤接続通知手段とを更に備えることを特徴とする。
【００１３】
また、本発明に係るコネクタ付き信号ケーブルは、上述のいずれか１つのコネクタが複数接続固定してあることを特徴とする。
【００１４】
また、本発明に係る機器接続構造は、接続端子を有するコネクタが複数接続固定されたコネクタ付き信号ケーブルを備え、前記コネクタの各接続端子に電気機器をそれぞれ接続する機器接続構造において、前記コネクタは、前記接続端子に接続された電気機器と前記信号ケーブルに接続された他の機器との間の通信処理を行う通信部と、前記接続端子に接続された電気機器の一部分の形状に応じて、前記通信部が通信を行う際の識別情報を決定する識別情報決定手段とを有することを特徴とする。
【００１５】
また、本発明に係る機器接続構造は、前記コネクタが、複数のスイッチを有し、前記電気機器は、前記スイッチの接続／遮断を切り替える一又は複数の突部を有し、前記コネクタの識別情報決定手段は、前記電気機器の突部にて接続／遮断されるスイッチの組み合わせに応じて識別情報を決定するようにしてあることを特徴とする。
【００１６】
また、本発明に係る機器接続構造は、前記コネクタが、予め設定された識別情報を記憶する記憶手段と、該記憶手段に記憶された識別情報及び前記識別情報決定手段が決定した識別情報が一致するか否かを判定する判定手段と、該判定手段により識別情報が一致しないと判定された場合に通知を行う誤接続通知手段とを更に有し、該誤接続通知手段は、前記通信部により前記信号ケーブルに接続された検査機器へ通知を行うようにしてあることを特徴とする。
【００１７】
本発明においては、信号ケーブルに接続固定されるコネクタに通信部を設け、通信部が他のコネクタの通信部又は制御機器等の間で通信を行うと共に、コネクタの接続端子を介して接続されたモータ又はアクチュエータ等の電気機器（電装品）への信号入出力を行う。またコネクタには、接続端子に接続された電気機器の一部分の形状に応じてアドレスなどの識別情報を決定する手段を設ける。
信号ケーブルに設けられた複数のコネクタにそれぞれ接続される複数の電気機器は、それぞれに機能又は性能等が異なる場合が多く、個別に設計及び製造がなされる場合が多い。このため各電気機器には、識別情報に応じた形状（例えば、凹凸又はピンなど）をその一部分に設けることが可能である。
コネクタは、接続端子に接続された電気機器の形状を検出して識別情報を決定し、決定した識別情報を用いて通信部が他のコネクタ又は制御機器等との通信を行う。製造工程などにおいて電気機器をコネクタに接続するのみで識別情報が決定されるため、識別情報の設定作業などを行う必要がなく、製造工程の短縮を実現でき、また、識別情報が誤設定される虞がない。
【００１８】
また、本発明においては、各コネクタに複数のスイッチを設け、接続端子に接続された電気機器がその一部分の形状に応じてコネクタの一又は複数のスイッチを接続／遮断する構成とする。電気機器毎に接続／遮断するスイッチが異なるように一部分の形状を設定することで、コネクタは各スイッチの接続／遮断の組み合わせに応じて識別情報を決定することができる。電気機器には、例えばスイッチを操作するための一又は複数の突部を設け、コネクタの接続端子に接続された際に突部が対応するスイッチの接続／遮断を行う構成とすることができる。
【００１９】
また、本発明においては、各コネクタが識別情報を予め記憶している構成であってもよい。この構成においては、コネクタは予め記憶した識別情報と、接続端子に接続された電気機器の形状に応じて決定される識別情報とが一致するか否かを判定する。これにより、例えば製造後の検査工程などにおいて、信号ケーブルに接続された検査機器などと各コネクタとが通信を行い、両識別情報の不一致を通知することができる。よって、各コネクタに対する電気機器の誤接続を容易且つ確実に検出することができる。
【発明の効果】
【００２０】
本発明による場合は、信号ケーブルに接続固定されるコネクタに通信部を設けると共に、コネクタの接続端子に接続される電気機器の形状に応じて識別情報を決定する手段をコネクタに設ける構成とすることにより、電気機器をコネクタに接続するのみで識別情報が決定されてコネクタの通信部が通信を行うことができる。これにより、コネクタの通信部が通信に用いる識別情報の設定を容易且つ確実に行うことができ、製造工程の短縮及び識別情報の誤設定の防止を実現できるため、このコネクタ付き信号ケーブルを用いる車輌などのコスト削減及び信頼性向上等を実現できる。
【図面の簡単な説明】
【００２１】
【図１】本発明に係るコネクタ付き信号ケーブルを用いた制御システムの構成を示す模式図である。
【図２】本発明の実施の形態１に係るコネクタの構成を示すブロック図である。
【図３】スイッチにより設定されるＩＤ番号を示す図表である。
【図４】コネクタ及び電装品の外観を示す模式的斜視図である。
【図５】コネクタの一のスイッチ及び電装品の一の突部の一構成例を示す模式的断面図である。
【図６】本発明の実施の形態２に係るコネクタの構成を示すブロック図である。
【図７】信号ケーブルのコネクタに接続された電装品の接続検査処理の手順を示すフローチャートである。
【発明を実施するための形態】
【００２２】
（実施の形態１）
以下、本発明をその実施の形態を示す図面に基づき具体的に説明する。図１は、本発明に係るコネクタ付き信号ケーブルを用いた制御システムの構成を示す模式図である。図において１は、車輌（図示は省略する）に搭載された複数の電装品４の制御処理を行うＥＣＵである。ＥＣＵ１は、複数のコネクタ３が設けられた信号ケーブル２を介して複数の電装品４と接続されており、信号ケーブル２を介して制御のための信号送受信、即ち通信を行うことによって電装品４の制御を行っている。例えば、車輌のエアコン（エアーコンディショナー）に図示の制御システムを適用した場合、電装品４は冷風又は暖風の流路の開閉などを行うモータ又はアクチュエータであり、ＥＣＵ１はユーザによる温度設定及び風向設定等に応じて電装品４を動作させ、冷風又は暖風の吹出量及び吹出方向等を調整する（なお、本システムの適用は車輌のエアコンに限定されるものではない）。
【００２３】
信号ケーブル２は、例えば電源線、アース線及び信号線の３本の電線を一組としたものであり、その一端がＥＣＵ１に接続され、一端から他端へ複数のコネクタ３が適宜の間隔を隔てて設けられている。コネクタ３は、信号ケーブル２の３本の電線にそれぞれ接続される端子を有しており、圧接又は溶接等の手段によって信号ケーブル２に接続固定されている。またコネクタ３は、電装品４との接続を行うための接続端子を有していると共に、ＥＣＵ１とのデータ送受信を行う通信機能を有している。
【００２４】
ＥＣＵ１は、各電装品４に予め設定されたＩＤ（IDentifier）番号を指定して制御に係るデータ（例えば、モータの回転量及び回転方向等を指示する制御命令など）を送信する。ＥＣＵ１から送信されたデータは、信号ケーブル２中を電気信号として各コネクタ３へ伝達されるが、指定されたＩＤ番号の電装品４が接続されたコネクタ３にて受信され、指定された電装品４がＥＣＵ１の制御に応じた動作を行う。
【００２５】
図２は、本発明の実施の形態１に係るコネクタ３の構成を示すブロック図であり、信号ケーブル２に接続固定されたコネクタ３の１つについて構成を示してある。コネクタ３は、その内部に通信制御ＩＣ３１及び駆動回路３２が備えられると共に、電装品４が接続される複数の雌型の接続端子３３を有している。
【００２６】
コネクタ３の通信制御ＩＣ３１は、３つの端子（図示は省略する）を介して信号ケーブル２の３本の電線に接続されている。通信制御ＩＣ３１の端子と信号ケーブルとの接続は、例えば圧接又は溶接等の方法で行うことができるが、これ以外の方法で行ってもよい。通信制御ＩＣ３１は、信号ケーブル２を介してＥＣＵ１からの制御に係るデータを受信し、受信したデータに応じた制御信号を駆動回路３２へ与えると共に、駆動回路３２から与えられる駆動に係るフィードバックのデータをＥＣＵ１へ送信する。
【００２７】
また通信制御ＩＣ３１には、３つのスイッチＡ〜Ｃが接続されている。通信制御ＩＣ３１は、ＥＣＵ１との通信を行う際にＩＤ番号が必要であり、ＥＣＵ１からの送信データに付されたＩＤ番号と自らのＩＤ番号とが一致する場合にこの送信データを受信し、ＥＣＵ１へデータ送信を行う際には自らのＩＤ番号をデータに付して送信する。３つのスイッチＡ〜Ｃは、通信制御ＩＣ３１が通信に用いるＩＤ番号の設定を行うためのものであり、各スイッチＡ〜Ｃの接続／遮断に応じて８通り（実質は７通り）のＩＤ番号が設定される。
【００２８】
図３は、スイッチＡ〜Ｃにより設定されるＩＤ番号を示す図表である。各スイッチＡ〜Ｃは、接続／遮断の２状態を切り替えることができる構成である。ＩＤ番号は、各スイッチＡ〜Ｃの遮断状態をデジタルの”０”とし、接続状態をデジタルの”１”として、スイッチＡを上位ビットとし、スイッチＣを下位ビットとした３ビットのデジタルデータで表される。よってＩＤ番号は、デジタルの”０００”〜”１１１”の８通りに設定可能であるが、全てのスイッチＡ〜Ｃが遮断状態である”０００”は電装品４が未接続の状態を示し、通信には用いられない（又はＥＣＵ１のＩＤ番号として用いられる）。
【００２９】
コネクタ３の駆動回路３２は、通信制御ＩＣ３１から与えられる制御信号に応じて電装品４を駆動するための駆動信号を生成し、接続端子３３を介して電装品４へ出力する。また駆動回路３２は、電装品４から動作に伴うフィードバック信号が与えられ、この信号に基づくフィードバックのデータを通信制御ＩＣ３１へ出力する。
【００３０】
電装品４は、コネクタ３の接続端子３３に接続するための複数の雄型の接続端子４３を有しており、接続端子４３は電装品４のアクチュエータ４１に接続されている。アクチュエータ４１は、接続端子４３を介してコネクタ３から入力された駆動信号により駆動されて動作し、動作による駆動量などを示すフィードバック信号をコネクタ３へ接続端子４３を介して出力する。
【００３１】
また電装品４は、コネクタ３の接続端子３３及び電装品４の接続端子４３が接続されて電装品４がコネクタ３に接続された場合に、コネクタ３の通信制御ＩＣ３１に接続された３つのスイッチＡ〜Ｃを操作するスイッチ操作部４２を有している。スイッチ操作部４２は一又は複数の突部（図２に示す例では２つの突部４２ａ、４２ｂ）を有しており、電装品４がコネクタ３に接続された際に、コネクタ３の筐体に形成された開口などにスイッチ操作部４２の突部が挿入され、挿入された突部がコネクタ３の筐体内に設けられたスイッチＡ〜Ｃの状態を切り替える（図２に示す例ではスイッチＡ、Ｂを接続する）。スイッチ操作部４２には、電装品４の種別などに応じて１つ〜３つの突部が適所に設けられ、３つのスイッチＡ〜Ｃの接続／遮断を切り替えることにより、通信制御ＩＣ３１が通信に用いるＩＤ番号の設定を行う（図２に示す例ではＩＤ番号は”１１０”に設定される）。なおスイッチ操作部４２は、例えば電装品４の筐体の一部分に突部を形成することで設けてもよく、また例えば接続端子４３に並べて棒状のピンを突部として設けてもよく、その他の方法で設けてもよい。
【００３２】
以上の構成の電装品４の接続構造においては、コネクタ３に設けた通信制御ＩＣ３１に３つスイッチＡ〜Ｃを接続し、電装品４にはコネクタ３に接続した際にスイッチＡ〜Ｃを操作する突部を設け、３つのスイッチＡ〜Ｃの接続／遮断の組み合わせに応じて通信制御ＩＣ３１が用いるＩＤ番号が設定される構成とすることにより、信号ケーブル２に複数設けられるコネクタ３は全て同じ構成とすることができ、接続される電装品４のスイッチ操作部４２の形状に応じたＩＤ番号でＥＣＵ１との通信を行うことができる。よって、コネクタ３の汎用性を向上でき、複数のコネクタ３が設けられた信号ケーブル２の汎用性を向上できると共に、コネクタ３に電装品４を接続する作業のみでＩＤ番号を設定できるため、ＩＤ番号の誤設定を防止することができる。
【００３３】
なお、本実施の形態においては、信号ケーブル２は電源線、アース線及び信号線の３本の電線で構成されるものとしたが、これに限らず、２本以下の電線又は４本以上の電線にて信号ケーブル２を構成してもよい。また、図１に示す例では信号ケーブル２に４つのコネクタ３を設ける構成としたが、これに限るものではなく、３つ以下又は５つ以上のコネクタ３を設けてもよい（コネクタ３に設けるスイッチの数は、信号ケーブル２に設けるコネクタ３の数に応じて決定する）。また、図１に示す例ではＥＣＵ１が信号ケーブル２の一端に直接的に接続される構成としたが、これに限るものではなく、ＥＣＵ１についてもコネクタ３に接続する構成としてもよい。
【００３４】
また、電装品４はモータ又はアクチュエータに限るものではなく、その他の種々の電気機器を信号ケーブル２のコネクタ３に接続してもよい。例えば、車輌の速度センサ又は温度センサ等のセンサを電装品４としてコネクタ３に接続し、ＥＣＵ１との間で検出値の送受信を行う構成とすることができる。また、コネクタ３の通信制御ＩＣ３１は、ＥＣＵ１との通信を行うのみでなく、他のコネクタ３の通信制御ＩＣ３１との通信を行ってもよい。また、図３においてＩＤ番号の”０００”は使用しない構成としたが、これに限るものではない。また、コネクタ３に駆動回路３２を備える構成としたが、これに限るものではなく、電装品４が駆動回路３２を備える構成としてもよい。また、通信制御ＩＣ３１内に駆動回路３２を設けてもよい。
【００３５】
図４は、コネクタ３及び電装品４の外観を示す模式的斜視図であり、（ａ）にコネクタ３の外観の一例を示し、（ｂ）に電装品４の外観の一例を示してある。また、図５は、コネクタ３の一のスイッチ及び電装品４の一の突部の一構成例を示す模式的断面図であり、（ａ）にコネクタ３及び電装品４が未接続の状態を示し、（ｂ）にコネクタ３及び電装品４を接続した状態を示してある。なお、図３においては電装品４の突部がコネクタ３のスイッチを接続する構成を示したが、図４及び図５に示す例では電装品４が未接続の場合にコネクタ３のスイッチは接続状態であり、電装品４の突部によりコネクタ３のスイッチを遮断する構成を示す。なお、図４及び図５に示すコネクタ３及び電装品４の構成は一例であってこれに限るものではない。
【００３６】
コネクタ３は、多面体形の筐体を有しており、筐体の一側にて信号ケーブル２に接続固定され、この反対側の面に雌型の接続端子３３である複数の丸穴部とスイッチＡ〜Ｃが内部に埋め込まれた複数の四角穴部とが一列に並設されている（図４（ａ）参照）。また電装品４は、アクチュエータ４１などが収容された筐体の側面に、コネクタ３の筐体に外嵌する形状の筒部が突設されており、この筒部内に雄型の接続端子３４である複数の丸棒状のピンと、コネクタ３のスイッチＡ〜Ｃを操作する突部４２ａ〜４２ｃが収容された四角筒部とが一列に並べて突設されている（図４（ｂ）参照）。電装品４のコネクタ３への接続は、電装品４の筒部をコネクタ３の筐体に外嵌することで行うことができ、これにより電装品４の接続端子４３がコネクタ３の接続端子３３に挿入されて接続され、電装品４の四角筒部がコネクタ３の四角穴部に挿入される。なお、図４（ｂ）においては、電装品４が３つの突部４２ａ〜４２ｃを有する構成を図示してあるが、電装品４のＩＤ番号に応じて少なくとも１つの突部４２ａ〜４２ｃを有する構成であればよい。
【００３７】
電装品４の四角筒部内には丸棒状の突部４２ａが突設されており、突部４２ａは非導電性の素材で成形されている。またコネクタ３の筐体の四角穴部内にはスイッチＡを収容する凹所が設けられており、この凹所は電商品４の四角筒部に外嵌する形状とされ、凹所の底部にはスイッチＡが立設されている。スイッチＡは、凹所の底部に立設された直線状の金属棒と湾曲した金属棒とを有して構成されており、湾曲した金属棒がその先端部分で直線状の金属棒と接触することにより電気的に導通し、スイッチＡが接続状態となるようにしてある（図５（ａ）参照）。
【００３８】
電装品４をコネクタ３に接続し、電装品４の四角筒部がコネクタ３の四角穴部に挿入された場合、電装品４の突部４２ａがコネクタ３のスイッチＡを構成する２つの金属棒の間に挿入される。これにより電装品４の突部４２ａは非導電性であるため、スイッチＡの２つの金属棒は電気的に遮断され、スイッチＡが遮断状態となるようにしてある（図５（ｂ）参照）。
【００３９】
このように、電装品４をコネクタ３に接続する作業に伴って、電装品４の突部４２ａ〜４２ｃによりコネクタ３のスイッチＡ〜Ｃが操作されてＩＤ番号の設定が行われる構成とすることによって、製造工程におけるＩＤ番号設定のための時間を削減することができると共に、ＩＤ番号の誤設定を防止することができる。
【００４０】
（実施の形態２）
上述の実施の形態１に係るコネクタ３は、電装品４によるスイッチＡ〜Ｃの接続／遮断の切り替えに応じて通信に用いるＩＤ番号が設定される構成である。これに対して実施の形態２に係るコネクタ２０３は、通信制御ＩＣ３１に予めＩＤ番号が設定されており、電装品４によるスイッチＡ〜Ｃの接続／遮断に応じて設定されるＩＤ番号が予め設定されたＩＤ番号と一致するか否かを判定することにより、電装品４の誤接続を検出する構成である。実施の形態２の構成は、信号ケーブル２に設けられた各コネクタ２０３に対して、接続する電装品４の種別又は型番等が定められている場合に好適である。
【００４１】
図６は、本発明の実施の形態２に係るコネクタ２０３の構成を示すブロック図である。実施の形態２に係るコネクタ２０３の通信制御ＩＣ３１は記憶部３５を有しており、記憶部３５には予め設定されたＩＤ番号が記憶されている。記憶部３５は、マスクＲＯＭ（Read Only Memory）又はＥＥＰＲＯＭ（Electrically Erasable Programmable ROM）等の不揮発性のメモリ素子で構成されるものであり、通信制御ＩＣ３１の製造時にＩＤ番号が記憶されるか、又は、通信制御ＩＣ３１の製造後にコネクタ２０３内へ組み込まれる際にＲＯＭライタなどの機器によりＩＤ番号が書き込まれることで、ＩＤ番号の記憶が行われる。
【００４２】
通信制御ＩＣ３１は、実施の形態１の場合と同様に、スイッチＡ〜Ｃの接続／遮断の状態に応じてＩＤ番号を決定することができる。通信制御ＩＣ３１は、記憶部３５に記憶したＩＤ番号と、スイッチＡ〜Ｃの状態に応じて決定したＩＤ番号とを比較し、両ＩＤ番号が一致した場合には、このＩＤ番号を用いてＥＣＵ１との通信処理を行う。また両ＩＤ番号が一致しない場合には、通信制御ＩＣ３１は通信処理を行わず、コネクタ２０３に接続された電装品４が誤っている旨を示す情報の送信のみを行う。
【００４３】
例えばコネクタ２０３が設けられた信号ケーブル２を用いる車輌の製造における検査工程において、信号ケーブル２に検査装置（図示は省略する）を接続し、検査装置から各コネクタ２０３へ検査命令を送信する。検査装置からの検査命令を受信したコネクタ２０３の通信制御ＩＣ３１は、記憶部３５に記憶したＩＤ番号とスイッチＡ〜Ｃの状態に応じて決定したＩＤ番号とが一致するか否かに応じて、電装品４の接続が正常であるか又は異常であるかを示すデータを検査装置へ送信する。これにより、信号ケーブル２の各コネクタ２０３に正しく電装品４が接続されているか否かの検査を容易且つ確実に行うことができる。
【００４４】
図７は、信号ケーブル２のコネクタ２０３に接続された電装品４の接続検査処理の手順を示すフローチャートであり、各コネクタ２０３の通信制御ＩＣ３１にてそれぞれ行われる処理である。通信制御ＩＣ３１は、まず、信号ケーブル２を介して送信される検査装置からの検査命令を受信したか否かを判定し（ステップＳ１）、検査命令を受信していない場合には（Ｓ１：ＮＯ）、検査命令を受信するまで待機する。検査装置からの検査命令を受信した場合（Ｓ１：ＹＥＳ）、通信制御ＩＣ３１は、スイッチＡ〜Ｃの接続／遮断の状態に応じて決定されるＩＤ番号を取得すると共に（ステップＳ２）、予め記憶されたＩＤ番号を記憶部３５から読み出す（ステップＳ３）。
【００４５】
次いで通信制御ＩＣ３１は、ステップＳ２にて取得したＩＤ番号と、ステップＳ３にて読み出したＩＤ番号とを比較し、両ＩＤ番号が一致するか否かを判定する（ステップＳ４）。両ＩＤ番号が一致する場合（Ｓ４：ＹＥＳ）、通信制御ＩＣ３１は、接続が正常である旨を示すデータを検査装置へ送信することにより正常通知を行って（ステップＳ５）、処理を終了する。また両ＩＤ番号が一致しない場合（Ｓ４：ＮＯ）、通信制御ＩＣ３１は、接続が異常である旨を示すデータを検査装置へ送信することにより異常通知を行って（ステップＳ６）、処理を終了する。
【００４６】
なお、本実施の形態においては、記憶部３５を通信制御ＩＣ３１内に設ける構成としたが、これに限るものではなく、マスクＲＯＭ又はＥＥＰＲＯＭ等のＩＣチップを通信制御ＩＣ３１とは別に設けて記憶部３５とする構成としてもよい。また、通信制御ＩＣ３１によるＩＤ番号の記憶は、マスクＲＯＭ又はＥＥＰＲＯＭ等のメモリ素子を用いて行う構成に限らず、例えばコネクタ２０３にディップスイッチ又はジャンパーピン等を設けてＩＤ番号を設定することにより行う構成としてもよく、また例えば通信制御ＩＣ３１が搭載されたコネクタ２０３の配線基板の配線パターンによりＩＤ番号を設定する構成としてもよく、その他の構成であってもよい。
【００４７】
なお、実施の形態２に係るコネクタ２０３及びこれを用いたシステムのその他の構成は、実施の形態１に係るコネクタ２及びこれを用いたシステムの構成と同様であるため、同様の箇所には同じ符号を付して詳細な説明を省略する。
【符号の説明】
【００４８】
１  ＥＣＵ（他の機器）
２  信号ケーブル（コネクタ付き信号ケーブル）
３  コネクタ
４  電装品（電気機器）
３１  通信制御ＩＣ（通信部、識別情報決定手段、判定手段、誤接続通知手段）
３２  駆動回路
３３  接続端子
３５  記憶部（記憶手段）
４１  アクチュエータ
４２  スイッチ操作部（一部分）
４２ａ、４２ｂ、４２ｃ  突部
２０３  コネクタ
Ａ〜Ｃ  スイッチ（識別情報決定手段）
【図１】
2011014366.tif 000003
【図２】
2011014366.tif 000004
【図３】
2011014366.tif 000005
【図４】
2011014366.tif 000006
【図５】
2011014366.tif 000007
【図６】
2011014366.tif 000008
【図７】
2011014366.tif 000009